(57)【要約】本発明は、生物学的組織および／または補綴組織の標的部位に接着剤組成物またはシーラント組成物の層を堆積させるためのアプリケータ１に関し、アプリケータ１は、生物学的組織および／または補綴組織に対向して配置されることを意図した塗布面７を有する本体２を備えるとともに、塗布面７に設けられた第１の出口開口部９であって、接着剤組成物またはシーラント組成物が前記アプリケータ１から流出して接着剤組成物またはシーラント組成物の層を形成することを可能にする第１の出口開口部９と、接着剤組成物またはシーラント組成物の層を堆積させながら汚染物質または望ましくない要素を標的部位から除去することを可能にするために、第１の出口開口部９に隣接して、塗布面７に設けられた第２の入口開口部１４と、を備え、第１の出口開口部９は第１の断面を有し、第２の入口開口部１４は第１の断面よりも大きい第２の断面を有する。【選択図】図８
2021522042.tif 000002
【特許請求の範囲】
【請求項１】
生物学的組織および／または補綴組織の標的部位に接着剤組成物またはシーラント組成物の層を堆積させるためのアプリケータ（１）であって、前記アプリケータ（１）は、前記生物学的組織および／または補綴組織に対向して配置されることを意図した塗布面（７）を有する本体（２）を備えるとともに、
前記接着剤組成物またはシーラント組成物が分配装置（２５）から前記アプリケータ（１）に流れることを可能にするための第１の入口開口部（８）と、
前記塗布面（７）に設けられた第１の出口開口部（９）であって、前記接着剤組成物またはシーラント組成物が前記アプリケータ（１）から流出して前記接着剤組成物またはシーラント組成物の層を形成することを可能にする第１の出口開口部（９）と、
前記接着剤組成物またはシーラント組成物を前記第１の入口開口部（８）から前記第１の出口開口部（９）に案内するための第１の内部チャネル（１０）と、
前記接着剤組成物またはシーラント組成物の層を堆積させながら汚染物質または望ましくない要素を前記標的部位から除去することを可能にするために、前記第１の出口開口部（９）に隣接して、前記塗布面（７）に設けられた第２の入口開口部（１４）と、
除去された前記汚染物質または望ましくない要素が前記アプリケータ（１）から排出されることを可能にするための第２の出口開口部（１５）と、
除去された前記汚染物質または望ましくない要素を前記第２の入口開口部（１４）から前記第２の出口開口部（１５）に案内するための第２の内部チャネル（１６）と、
を備え、
前記第１の出口開口部（９）は第１の断面を有し、前記第２の入口開口部（１４）は前記第１の断面よりも大きい第２の断面を有する、アプリケータ。
【請求項２】
スロットとして成形された前記第１の出口開口部（９）が第１の幅（ｗ１）および第１の高さ（ｈ１）を有し、前記第２の入口開口部（１４）が第２の幅（ｗ２）および第２の高さ（ｈ２）を有し、前記第２の幅（ｗ２）が前記第１の幅（ｗ１）以上である、請求項１に記載のアプリケータ。
【請求項３】
スロットとして成形された前記第１の出口開口部（９）が、２〜１５ミリメートル、好ましくは５〜８ミリメートルからなる第１の幅（ｗ１）を有する、請求項１および２のいずれか一項に記載のアプリケータ。
【請求項４】
スロットとして成形された前記第１の出口開口部（９）が、０．２〜１ミリメートル、好ましくは０．４〜０．６ミリメートルからなる第１の高さ（ｈ１）を有する、請求項１〜３のいずれか一項に記載のアプリケータ。
【請求項５】
前記第２の入口開口部（１４）は、０．２〜５ミリメートル、好ましくは０．３〜０．５ミリメートルからなる第２の高さ（ｈ２）を有する、請求項１〜４のいずれか一項に記載のアプリケータ。
【請求項６】
前記第１の入口開口部（８）は円形であり、前記第１の内部チャネル（１０）は、前記第１の入口開口部（８）から前記第１の出口開口部（９）まで連続的に増加する幅（ｗ）と、前記第１の入口開口部（８）から前記第１の出口開口部（９）まで連続的に減少する高さ（ｈ）とを有する、請求項１〜５のいずれか一項に記載のアプリケータ。
【請求項７】
前記本体（２）は、取り付け主軸（Ｘ１）に従って前記分配装置（２５）の取り付け部分（３１）に対して平行移動および／または回転させることにより、前記分配装置（２５）の前記取り付け部分（３１）と協働して前記アプリケータ（１）を前記分配装置（２５）に取り付けるように構成された第１の取り付け部分（３）を有する、請求項１〜６のいずれか一項に記載のアプリケータ。
【請求項８】
前記第１の取り付け部分（３）は、前記取り付け主軸（Ｘ１）に従って前記分配装置（２５）の前記取り付け部分（３１）の雌の円錐形内面と合致するように構成された雄の円錐形外面と、前記本体（２）の前記第１の取り付け部分（３）を前記分配装置（２５）の前記取り付け部分（３１）にロックするために、前記取り付け主軸（Ｘ１）に対して直角に突出しているラグ（１３）とを含む、請求項７に記載のアプリケータ。
【請求項９】
前記塗布面（７）は平面であり、且つ前記取り付け主軸（Ｘ１）と角度（α）を形成し、前記角度は、９０〜６０度、好ましくは９０〜３０度、より好ましくは７５〜８５度で構成される、請求項７および８のいずれか一項に記載のアプリケータ。
【請求項１０】
前記本体（２）は、前記第１の内部チャネル（１６）と前記第２の内部チャネル（２１）とを分離する壁（２０）を含み、前記壁（２０）は、前記第１の出口開口部（９）と前記第２の入口開口部（１４）との間で測定される２５マイクロメートル〜１センチメートルの厚さを有する、請求項１〜９のいずれか一項に記載のアプリケータ。
【請求項１１】
前記第１の内部チャネル（１０）は第１の主軸（Ｘ１）を有し、前記第２の内部チャネル（１６）は第２の主軸（Ｘ２）を有し、前記第２の主軸（Ｘ２）は前記第１の主軸（Ｘ１）に対して１０〜２０度の角度（β）で配向される、請求項１〜１０のいずれか一項に記載のアプリケータ。
【請求項１２】
前記本体（２）が材料の単一片で形成されている、請求項１〜１１のいずれか一項に記載のアプリケータ。
【請求項１３】
前記材料は、観察者が前記第１の内部チャネル（２１）内を流れる前記接着剤組成物またはシーラント組成物を見ることができるように、可視光に対して透明または半透明である、請求項１２に記載のアプリケータ。
【請求項１４】
前記材料は、３５０〜６７０ナノメートル、好ましくは４０５ナノメートルの波長を有する放射線に対して不透明である、請求項１２および１３のいずれか一項に記載のアプリケータ。
【請求項１５】
接着剤組成物またはシーラント組成物で満たされたリザーバ（３２）を含み、前記接着剤組成物またはシーラント組成物が分配装置（２５）から流出することを可能にするための端部開口部（３０）を有する分配装置（２５）と、
前記分配装置（２５）の前記端部開口部（３０）から流れる接着剤組成物またはシーラント組成物の層を生体組織上に堆積させることを可能にするために前記分配装置（２５）に取り付けられるように構成された、請求項１〜１４に記載のアプリケータ（１）と、
を備えたアプリケータアセンブリ（４４）。
【請求項１６】
吸引管（３８）を備え、前記アプリケータ（１）が、前記第２の内部チャネル（１６）を吸引装置に接続するために前記吸引管（３８）の端部（４１）を前記アプリケータ（１）に取り付けるための第２の取り付け部分（２４）を含む、請求項１５に記載のアプリケータアセンブリ。
【請求項１７】
前記リザーバ（３２）に含まれる前記接着剤組成物またはシーラント組成物は、一般式（−Ａ−Ｂ−）ｎのポリマー単位を含むプレポリマーを含み、Ａは置換エステルまたは非置換エステルを表し、Ｂは少なくとも２つの酸エステル官能基を含む置換酸エステルまたは非置換酸エステルを表し、ｎは１より大きい整数を表す、請求項１５および１６のいずれか一項に記載のアプリケータアセンブリ。
【請求項１８】
前記分配装置（２５）は、前記リザーバ（３２）を画定するシリンダ（２７）と前記シリンダ（２７）内にスライド可能に取り付けられたピストン（２８）とを含むシリンジ（２６）と、光が前記リザーバ（３２）内に含まれる前記接着剤組成物またはシーラント組成物を照射することを防ぐように、前記シリンダ（２７）の周りに配置されるように構成されたケーシング（３３）とを有している、請求項１５〜１７のいずれか一項に記載のアプリケータアセンブリ。
【請求項１９】
前記ケーシング（３３）は、前記ケーシング（３３）内に前記シリンダ（２７）を挿入すると変形し、前記ケーシング（３３）内に前記シリンダ（２７）が挿入されたら、前記ケーシング（３３）を前記シリンダ（２７）にロックするために前記シリンジ（２６）の肩（３６）に隣接するように構成された弾性タブ（３５）を含む、請求項１８に記載のアプリケータアセンブリ。
【請求項２０】
前記アプリケータ（１）および前記分配装置（２５）を封入するためのパッケージ（３７）を備え、前記パッケージ（３７）は、細菌の侵入を防止する材料でできている、請求項１５〜１９のいずれか一項に記載のアプリケータアセンブリ。
【請求項２１】
生物学的組織および／または補綴組織の２つの部分を一緒に保持するための方法であって、
可能であれば外科用縫合糸で縫うことによってもしくはステープルで、または端から端まで縫うことによって、前記２つの部分を一緒に結合するステップと、
請求項１４〜１９のいずれか一項に記載のアプリケータアセンブリ（４４）を使用することにより、接合部上に前記接着剤組成物またはシーラント組成物の層を塗布するステップと、
前記接着剤組成物またはシーラント組成物の架橋を誘発するために、前記接着剤組成物またはシーラント組成物の層を光に曝すステップと、を含む方法。
【請求項２２】
一緒に結合される前記２つの部分は、血管と、好ましくは、ダクロンもしくはテフロン（登録商標）などの合成材料、または生物学的材料でできている血管補綴とを含む、請求項２１に記載の方法。
【請求項２３】
前記２つの部分は、血管および管状血管補綴を含み、末端吻合または末端外側吻合によって互いに結合される、請求項２１および２２のいずれか一項に記載の方法。
【発明の詳細な説明】
【技術分野】
【０００１】
本発明は、生物学的組織および／または補綴組織上に接着剤組成物またはシーラント組成物の層を堆積させるためのアプリケータ、ならびにそのようなアプリケータを含むアプリケータアセンブリに関する。
【背景技術】
【０００２】
血管（大動脈、大腿動脈、頸動脈または冠状動脈、または静脈など）の外科的修復、心臓修復または泌尿器系修復では、止血を達成するための標準的な方法（縫合糸およびステープルなど）の補助として外科用接着剤またはシーラントが使用される。外科用接着剤またはシーラントは、漏れ（例えば、脳または脊髄の漏れ）を止めるためにも使用できる。外科用接着剤／シーラントは、一般に、縫合糸またはステープルによって作成された穴を密封し、組織間の接合部を強化し、止血および組織の治癒または間隙の充填を容易にするために、出血または漏出部位の上に層として堆積される。
【０００３】
しかしながら、接着剤／シーラントの性能は、接着剤組成物またはシーラント組成物自体の特性だけでなく、接着剤またはシーラント層の塗布条件にも依存する。特に、接着剤／シール性能は、接着剤またはシーラント層と下にある組織との間の接触の質に応じて大きく変化し、そのような接触の質は、接着剤またはシーラント層を堆積するために使用される装置によって影響を受けることが観察されている。
【０００４】
米国特許出願公開第２００５／０１２７１１９号明細書は、例えば、肺組織または肝臓組織などの生物学的組織に接着剤またはシーラントを塗布するための分配器具に接続され得るアプリケータを開示している。アプリケータは、ミキサまたは分配器具の出口に接続するためのアダプタと分配スロットとを有している。アプリケータは、アダプタからスロットまで延在するエンクロージャを有し、そのようなエンクロージャは、接着された基板に向けられるエンクロージャの側面がアダプタの縦軸と角度をなすように湾曲した形状を有している。さらに、エンクロージャは分配スロットに向かって円錐状に拡大されている。この文書によると、エンクロージャの湾曲により、接着される組織、例えば、肺組織は、最初に滑らかにされ、その後すぐに接着剤またはシーラントで均一にコーティングされる。
【０００５】
しかし、実際には、大血管に接着剤やシーラントを塗布するためにこのようなアプリケータを使用した場合でも、再現性のある接着剤／シール性能を得るのは難しいことが証明されている。
【発明の概要】
【０００６】
本発明の１つの目的は、接着剤またはシーラントの層と生物学的組織および／または補綴組織との間の改善された接着を得ることを可能にする、生物学的組織および／または補綴組織に接着剤組成物またはシーラント組成物の層を堆積させるためのアプリケータを提供することである。
【０００７】
この目的は、本発明に従って、生物学的組織および／または補綴組織の標的部位に接着剤組成物またはシーラント組成物の層を堆積させるためのアプリケータであって、アプリケータは、生物学的組織および／または補綴組織に対向して配置されることを意図した塗布面を有する本体を備えるとともに、
・接着剤組成物またはシーラント組成物が分配装置からアプリケータに流れることを可能にするための第１の入口開口部と、
・塗布面に設けられた第１の出口開口部であって、接着剤組成物またはシーラント組成物がアプリケータから流出して接着剤組成物またはシーラント組成物の層を形成することを可能にする第１の出口開口部と、
・接着剤組成物またはシーラント組成物を第１の入口開口部から第１の出口開口部に案内するための第１の内部チャネルと、
・接着剤組成物またはシーラント組成物の層を堆積させながら汚染物質または望ましくない要素を標的部位から除去することを可能にするために、第１の出口開口部に隣接して、塗布面に設けられた第２の入口開口部と、
・除去された汚染物質または望ましくない要素がアプリケータから排出されることを可能にするための第２の出口開口部と、
・除去された汚染物質または望ましくない要素を第２の入口開口部から第２の出口開口部に案内するための第２の内部チャネルと、
を備え、
第１の出口開口部は第１の断面を有し、第２の入口開口部は第１の断面よりも大きい第２の断面を有する、アプリケータ、により達成される。
【０００８】
このようなアプリケータを使用すると、標的部位からの汚染物質または望ましくない要素（例えば、流体、材料、または組織の断片）の除去、および接着剤組成物またはシーラント組成物の堆積を同時に行うことができる。
【０００９】
より正確には、外科医がアプリケータを標的部位に沿って移動させている間、標的部位は漸進的に洗浄され、接着剤組成物またはシーラント組成物の層は、洗浄後すぐに堆積される。これにより、堆積層と標的部位の表面との接着が促進される。
【００１０】
さらに、堆積中に、標的部位の表面と接着剤組成物またはシーラント組成物との間にくぼみが生じる。結果として、組織の表面の不規則性にもかかわらず、標的部位の表面と接着剤組成物またはシーラント組成物の層との間の密接な接触が得られ得る。
【００１１】
本発明の特定の実施形態によれば、アプリケータはまた、以下の特徴のうちの少なくとも１つを有し得る。
・スロットとして成形された第１の出口開口部が第１の幅および第１の高さを有し、第２の入口開口部が第２の幅および第２の高さを有し、第２の幅が第１の幅以上である。
・スロットとして成形された第１の出口開口部が、２〜１５ミリメートル、好ましくは５〜８ミリメートルからなる第１の幅を有する。
・スロットとして成形された第１の出口開口部が、０．２〜１ミリメートル、好ましくは０．４〜０．６ミリメートルからなる第１の高さを有する。
・第２の入口開口部は、０．２〜５ミリメートル、好ましくは０．３〜０．５ミリメートルからなる第２の高さを有する。
・第１の入口開口部は円形であり、第１の内部チャネルは、第１の入口開口部から第１の出口開口部まで連続的に増加する幅と、第１の入口開口部から第１の出口開口部まで連続的に減少する高さとを有する。
・本体は、取り付け主軸に従って分配装置の取り付け部分に対して平行移動および／または回転させることにより、分配装置の取り付け部分と協働してアプリケータを分配装置に取り付けるように構成された第１の取り付け部分を有する。
・第１の取り付け部分は、取り付け主軸に従って分配装置の取り付け部分の雌の円錐形内面と合致するように構成された雄の円錐形外面と、本体の第１の取り付け部分を分配装置の取り付け部分にロックするために、取り付け主軸に対して直角に突出しているラグとを含む。
・塗布面は平面であり、且つ取り付け主軸と角度を形成し、角度は、９０〜３０度、好ましくは９０〜６０度、より好ましくは７５〜８５度で構成される。
・本体は、第１の内部チャネルと第２の内部チャネルとを分離する壁を含み、壁は、第１の出口開口部と第２の入口開口部との間で測定される２５マイクロメートル〜１センチメートルの厚さを有する。
・第１の内部チャネルは第１の主軸を有し、第２の内部チャネルは第２の主軸を有し、第２の主軸は第１の主軸に対して１０〜２０度の角度で配向される。
・本体が材料の単一片で形成されている。
・材料は、観察者が第１の内部チャネル内を流れる接着剤組成物またはシーラント組成物を見ることができるように、可視光に対して透明または半透明である。
・材料は、３５０〜６７０ナノメートル、好ましくは４０５ナノメートルの波長を有する放射線に対して不透明である。
【００１２】
本発明はまた、
・接着剤組成物またはシーラント組成物で満たされたリザーバを含み、接着剤組成物またはシーラント組成物が分配装置から流出することを可能にするための端部開口部を有する分配装置と、
・分配装置の端部開口部から流れる接着剤組成物またはシーラント組成物の層を生体組織上に堆積させることを可能にするために分配装置に取り付けられるように構成された、上述したアプリケータと、
を備えたアプリケータアセンブリにも関する。
【００１３】
本発明の一実施形態によれば、アプリケータアセンブリは吸引管を備え、アプリケータが、第２の内部チャネルを吸引装置に接続するために吸引管の端部をアプリケータに取り付けるための第２の取り付け部分を含む。
【００１４】
本発明の一実施形態によれば、リザーバに含まれる接着剤組成物またはシーラント組成物は、一般式（−Ａ−Ｂ−）ｎのポリマー単位を含むプレポリマーを含み、Ａは置換エステルまたは非置換エステルを表し、Ｂは少なくとも２つの酸エステル官能基を含む置換酸エステルまたは非置換酸エステルを表し、ｎは１より大きい整数を表す。
【００１５】
成分Ａは、ジオール、トリオール、テトラオールまたはそれ以上などのポリオールから誘導され得る。適切なポリオールには、アルカンジオールなどのジオールと、グリセロール、トリメチロールプロパン、トリエタノールアミンなどのトリオールと、エリスリトール、ペンタエリスリトールなどのテトラオールと、ソルビトールなどの高級ポリオールとが含まれる。テトラデカ−２、１２−ジエン−１、１４−ジオールなどの不飽和ジオール、または、例えばポリエチレンオキシドなどのマクロモノマージオールを含む他のジオール、およびＮ−メチルジエタノールアミン（ＭＤＥＡ）も使用することができる。好ましくは、ポリオールは、置換または非置換のグリセロールである。
【００１６】
成分Ｂは、二酸またはより高次の酸などの多酸から誘導され得る。多種多様な二酸、または高次の酸を使用することができる。例示的な酸には、クエン酸（３炭素）、グルタル酸（５炭素）、アジピン酸（６炭素）、ピメリン酸（７炭素）、セバシン酸（８炭素）、およびアゼライン酸（９炭素）が含まれるが、これらに限定されない。例示的な長鎖二酸には、１０を超える、１５を超える、２０を超える、および２５を超える炭素原子を有する二酸が含まれる。非脂肪族二酸も使用できる。例えば、１つ以上の二重結合を有する上記の二酸のバージョンを使用して、ポリオール−二酸コポリマーを製造することができる。好ましくは、二酸は、置換または非置換のセバシン酸である。
【００１７】
アミン、アルデヒド、ヒドラジド、アクリレート、芳香族基などのいくつかの置換基を炭素鎖に組み込むことができる。例示的な芳香族二酸には、テレフタル酸およびカルボキシフェノキシプロパンが含まれる。ポリ酸、例えば二酸は、置換基も含むことができる。例えば、アミンやヒドロキシルなどの反応性基を使用して、架橋に利用できるサイトの数を増やすことができる。アミノ酸やその他の生体分子を使用して、生物学的特性を変更することができる。芳香族基、脂肪族基、およびハロゲン原子を使用して、ポリマー内の鎖間相互作用を変更することができる。
【００１８】
プレポリマーは、ポリアミド骨格またはポリウレタン骨格をさらに含み得る。例えば、ポリアミン（２つ以上のアミノ基を含む）を使用して、ポリオールと一緒に、またはポリオールと反応した後に、ポリ酸と反応させることができる。他の例では、ポリイソシアネート（２つ以上のイソシアネート基を含む）を使用して、ポリオールと一緒に、またはポリオールと反応した後に、ポリ酸と反応させることができる。
【００１９】
プレポリマーは、好ましくは活性化することができる。プレポリマーは、反応するか、または反応して架橋を形成することができる官能基を導入することによって活性化することができる。プレポリマー骨格上で活性化される適切な官能基には、ヒドロキシ酸基、カルボン酸基、アミン、およびそれらの組み合わせ、好ましくはヒドロキシおよび／またはカルボン酸が含まれる。プレポリマー上の遊離したヒドロキシル酸基またはカルボン酸基は、ポリマー鎖間に架橋を形成することができる部分でヒドロキシ基を官能化することによって活性化することができる。活性化される基は、プレポリマーのＡ部分および／またはＢ部分上の遊離したヒドロキシル酸基またはカルボン酸基であり得る。好ましくは、官能基は、アクリレート基であるか、またはアクリレート基を含む。
【００２０】
アクリレート基は、置換または非置換のアクリロイル基を含む部分である。アクリレートは、以下の基、すなわち、−Ｃ（＝Ｏ）−ＣＲ１＝ＣＲ２Ｒ３を含み得、Ｒ１、Ｒ２、Ｒ３は、Ｈ、メチルまたはエチルなどのアルキル、フェニルなどのアリール、置換アルキル、置換アリール、カルボン酸、エステル、アミド、アミン、ウレタン、エーテル、およびカルボニルからなる群から選択され、互いに独立している。好ましくは、Ｒ１、Ｒ２およびＲ３がＨであるか、または、Ｒ１がＣＨ３で、Ｒ２およびＲ３がＨであるか、または、Ｒ１とＲ２がＨで、Ｒ３がＣＨ３であるか、または、Ｒ１とＲ２がＨで、Ｒ３がフェニルである。
【００２１】
好ましい実施形態によれば、リザーバに含まれる接着剤組成物またはシーラント組成物は、一般式（−Ａ−Ｂ−）ｎのポリマー単位を含む架橋可能なポリエステルプレポリマーを含み、Ａは、置換または非置換のエステルを表し、Ｂは、少なくとも２つの酸エステル官能基を含む置換または非置換の酸エステルを表し、ｎは１より大きい整数を表し、Ａは、架橋前のアクリレート基を含む。
【００２２】
好ましい実施形態によれば、接着剤組成物またはシーラント組成物は、一般式（−Ａ−Ｂ−）ｎのポリマー単位を含むプレポリマーを含み、（ｉ）組成物中のグラフト化無水物の含有量がポリ酸の０．０５モル／モル未満であるか、または（ii）組成物が無水物化合物を含む。
【００２３】
活性化されたプレポリマーは、一般式：
【化１】
2021522042.tif 000003
を有することができ、ｎおよびｐはそれぞれ独立して１以上の整数を表し、個々の単位のＲ２は水素、またはポリマー鎖、または−Ｃ（＝Ｏ）−ＣＲ３＝ＣＲ４Ｒ５を表し、Ｒ３、Ｒ４、Ｒ−５は、Ｈ、メチルまたはエチルなどのアルキル、フェニルなどのアリール、置換アルキル、置換アリール、カルボン酸、エステル、アミド、アミン、ウレタン、エーテル、およびカルボニルからなる群から選択され、互いに独立している。好ましくは、Ｒ３、Ｒ４およびＲ５がＨであるか、または、Ｒ３がＣＨ３で、Ｒ４およびＲ５がＨであるか、または、Ｒ３とＲ４がＨで、Ｒ５がＣＨ３であるか、または、Ｒ３とＲ４がＨで、Ｒ５はフェニルである。好ましくは、ｐは、１〜２０、より好ましくは２〜１０、さらにより好ましくは４〜１０の整数である。ｐ＝８の場合が最も好ましい。
【００２４】
特に、プレポリマーは以下の構造
【化２】
2021522042.tif 000004
を有し得、ｎは、１以上の整数を表す。
【００２５】
好ましい実施形態によれば、接着剤組成物またはシーラント組成物は、光硬化性化合物である。「光硬化性化合物」は、より具体的には光源からの光の形で、適切な放射エネルギーを受け取ると、重合するか、さもなければ硬化するように構成される化合物を指す。
【００２６】
好ましくは、光硬化性化合物は、プレポリマーおよび光開始剤を含み、当該光開始剤は、特定の波長の光に曝されたときに、上記プレポリマーの重合を誘導することができる。
【００２７】
特別な実施形態によれば、上記光開始剤は、紫外線（ＵＶ）放射に敏感である。
【００２８】
ＵＶ放射に敏感な適切な光開始剤の例には、２−ジメトキシ−２−フェニル-アセトフェノン、２−ヒドロキシ−１−［４−（ヒドロキシエトキシ）フェニル］−２−メチル−１−プロパノン（Ｉｒｇａｃｕｒｅ  ２９５９）、１−ヒドロキシシクロヘキシル−１−フェニルケトン（Ｉｒｇａｃｕｒｅ  １８４）、２−ヒドロキシ−２−メチル−１−フェニル−１−プロパノン（Ｄａｒｏｃｕｒ  １１７３）、２−ベンジル−２−（ジメヒルアミノ）−１−［４−モルホリニル）フェニル］−１−ブタノン（Ｉｒｇａｃｕｒｅ  ３６９）、メチルベンゾイルホルメート（Ｄａｒｏｃｕｒ  ＭＢＦ）、オキシ−フェニル−酢酸−２−［２−オキソ−２−フェニル−アセトキシ−エトキシ］−エチルエステル（Ｉｒｇａｃｕｒｅ  ７５４）、２−メチル−１−［４−（メチルチオ）フェニル］−２−（４−モルホリニル）−１−プロパノン（Ｉｒｇａｃｕｒｅ  ９０７）、ジフェニル（２，４，６−トリメチルベンゾイル）−ホスフィンオキシド（Ｄａｒｏｃｕｒ  ＴＰＯ）、ホスフィンオキシド、フェニルビス（２，４，６−トリメチルベンゾイル）（Ｉｒｇａｃｕｒｅ  ８１９）、およびそれらの組み合わせが含まれるが、これらに限定されない。
【００２９】
別の実施形態によれば、上記光開始剤は、可視光（通常、青色光または緑色光）に敏感である。
【００３０】
可視光に敏感な光開始剤の例には、ジフェニル（２，４，６−トリメチルベンゾイル）−ホスフィンオキシド、エオシンＹ二ナトリウム塩、Ｎ−ビニル−２−ピロリドン（ＮＶＰ）およびトリエタノールアミン、ならびにカンファーキノンが含まれるが、これらに限定されない。
【００３１】
さらに、接着剤組成物またはシーラント組成物はまた、材料がシーラント／接着剤として機能する期間中に放出され得る１つ以上の医薬品、治療薬、予防薬、および／または診断薬を含み得る。薬剤は、例えば、２０００、１５００、１０００、７５０、または５００Ｄａ未満の分子重量を有する小分子剤、生体分子、例えば、ペプチド、タンパク質、酵素、核酸、多糖、成長因子、ＲＧＤ配列またはインテグリンなどの細胞接着配列、細胞外マトリックス成分、またはそれらの組み合わせであり得る。同様に、接着剤組成物またはシーラント組成物はまた、細胞または生物組織または粒子状骨移植片または／および代用骨を含み得る。小分子剤の例示的なクラスには、抗炎症剤、鎮痛剤、抗菌剤、およびそれらの組み合わせが含まれるが、これらに限定されない。例示的な成長因子には、ＴＧＦ−Ｄ、酸性線維芽細胞成長因子、塩基性線維芽細胞成長因子、表皮成長因子、ＩＧＦ−ＩおよびＩＩ、血管内皮由来成長因子、骨形態形成タンパク質、血小板由来成長因子、ヘパリン−結合成長因子、造血成長因子、ペプチド成長因子、または核酸が含まれるが、これらに限定されない。例示的な細胞外マトリックス成分には、コラーゲン、フィブロネクチン、ラミニン、エラスチン、およびそれらの組み合わせが含まれるが、これらに限定されない。
【００３２】
本発明の実施形態によれば、分配装置は、リザーバを画定するシリンダとシリンダ内にスライド可能に取り付けられたピストンとを含むシリンジと、光がリザーバ内に含まれる接着剤組成物またはシーラント組成物を照射することを防ぐように、シリンダの周りに配置されるように構成されたケーシングとを有している。
【００３３】
本発明の実施形態によれば、ケーシングは、ケーシング内にシリンダを挿入すると変形し、ケーシング内にシリンダが挿入されたら、ケーシングをシリンダにロックするためにシリンジの肩に隣接するように構成された弾性タブを有している。
【００３４】
本発明の実施形態によれば、アプリケータアセンブリは、アプリケータおよび分配装置を封入するためのパッケージを備え、パッケージは、細菌の侵入を防止する材料でできている。
【００３５】
本発明はまた、生物学的組織および／または補綴組織の２つの部分を一緒に保持するための方法であって、
・可能であれば外科用縫合糸で縫うことによってもしくはステープルで、または端から端まで縫うことによって、２つの部分を一緒に結合するステップと、
・前述のアプリケータアセンブリを使用することにより、接合部上に接着剤組成物またはシーラント組成物の層を塗布するステップと、
・接着剤組成物またはシーラント組成物の架橋を誘発するために、接着剤組成物またはシーラント組成物の層を光に曝すステップと、を含む方法、に関する。
【００３６】
本発明の実施形態によれば、一緒に結合される２つの部分は、血管と、好ましくは、ダクロンもしくはテフロン（登録商標）などの合成材料、または生物学的材料でできている血管補綴とを含む。
【００３７】
本発明の実施形態によれば、２つの部分は、血管および管状血管補綴を含み、末端吻合または末端外側吻合によって互いに結合される。
【００３８】
本発明はさらに、前述のようにアプリケータアセンブリを使用することによって、接着剤組成物またはシーラント組成物の層を標的表面に適用することを含む、生物学的および／または人工組織を含む標的表面を接着または密封する方法に関する。
【００３９】
特別な実施形態によれば、前述の補綴組織は、ＰＴＦＥベースのグラフト／パッチ材料、ダクロンベースのグラフト／パッチ材料、またはそれらの任意の組み合わせなどのグラフト材料である。
【００４０】
本発明はさらに、組織を医療機器に接着させる方法に関し、この方法は、前述のようにアプリケータアセンブリを使用することによって、組織および／または医療機器の表面に接着剤組成物の層を塗布することを含む。
【００４１】
本発明はさらに、前述のようにアプリケータアセンブリを使用することによって、医療機器を別の医療機器に接着させる、または医療機器の部品を一緒に接着させる方法に関する。
【００４２】
本発明はまた、特に、例えば血液または他の任意の流体、ガスなどの漏れを防止するために、バリアを形成するための、または空隙を充填するための方法に関し、前述の方法は、前述のようにアプリケータアセンブリを使用することによって、接着剤組成物またはシーラント組成物の層を表面に塗布することを含む。
【００４３】
使用例には、例えば、創傷または外傷による出血の停止、または移植片を血管に縫合した後、または血管内処置における血管アクセス後などの手術中が含まれる。
【００４４】
他の例には、血管吻合における縫合糸の補助として、およびｅＰＴＦＥグラフト、例えばｅＰＴＦＥ血管グラフトにおける縫合糸の補助として、接着剤組成物またはシーラント組成物の層を使用することが含まれる。
【００４５】
他の例には、例えば、
・細胞の再生および組織の修復、すなわち、組織の内部成長を防ぎ、望ましい細胞だけが保護された空間に再増殖して組織の修復を促進し、細胞再生領域の機械的保護および安定化を図る場合、または
・特に胸部および腹部レベルでの外科的処置後の、組織間の癒着防止を図る場合、
の受動的バリアとして接着剤組成物またはシーラント組成物の層を使用することが含まれる。
【００４６】
上記で定義されたアプリケータアセンブリを使用することによって接着剤組成物またはシーラント組成物の層を表面に塗布することを含む方法は、接着剤またはシーラントが必要とされる他の様々な状況に適用することができる。これらには、肺切除後の空気漏れ、胃腸の漏れを封じるため、外科的処置の時間を短縮するため、硬膜を密封するため、腹腔鏡下手術を容易にするため、分解性皮膚接着剤として、厩舎や鋲の必要性を防止または軽減するためのヘルニアマトリックスとして、失血を防ぐため、外科的処置中に臓器または組織を操作するため、角膜移植を適切に確保するため、心臓にパッチを当てて薬物を送達する、および／または心筋梗塞後の心臓の拡張を減らすため、別の材料を組織に付着させるため、縫合糸またはステープルを増強するため、組織全体に力を分散させるため、漏れを防ぐため、火傷した皮膚からの水分の蒸発を防ぐための皮膚のバリア膜として、抗瘢痕または抗菌薬の送達のためのパッチとして、組織に取り付けられた装置に、入れ歯や口腔器具を保持するなど口腔内に装置を固定するためのテープとして装置を粘膜に取り付けるため、軟組織を骨に固定するためのテープとして、誘導組織（例えば、骨の修復および／または再生）における成形可能なバリアとして、および、組織の穴の形成を防ぐこと、組織の機械的特性を強化／増強すること、等が含まれるが、これに限定されない。
【００４７】
本発明はまた、生物学的組織および／または補綴組織の２つの部分を一緒に保持するための方法であって、
・例えば、外科用縫合糸、ステープル、または端から端まで縫うことによって、２つの部分を結合するステップと、
・血液またはその他の液体を標的部位から除去し、前述のようにアプリケータアセンブリを使用して、接合部に接着剤組成物またはシーラント組成物の層を塗布するステップと、
を含む方法に関する。
【００４８】
接着剤組成物またはシーラント組成物の層の厚さは、少なくとも約５０ミクロン、１００ミクロン、５００ミクロン、または１０００ミクロンであり得る。好ましくは接着剤組成物またはシーラント組成物の層の厚さは１５００ミクロン未満である。
【００４９】
好ましい実施形態によれば、上記の方法のうちの１つは、
・例えば、外科用縫合糸、ステープル、または端から端まで縫うことによって、２つの部分を結合するステップと、
・血液またはその他の液体を標的部位から除去し、上記で定義したアプリケータアセンブリを使用して、接合部に接着剤組成物またはシーラント組成物の層を塗布するステップと、
を含み得る。
【００５０】
好ましい実施形態によれば、上記の方法のうちの１つは、誘導骨再生（ＧＢＲ）に適用される。ＧＢＲは、粒子状骨移植片または／および代用骨の有無にかかわらずバリア膜を使用する外科手術である。誘導骨再生による骨再生は、多能性および骨形成細胞（例えば、骨膜および／または隣接する骨および／または骨髄に由来する骨芽細胞）の骨欠損部位への移動と、骨形成を妨げる細胞（例えば、上皮細胞および線維芽細胞）の排除とに依存する。本発明によれば、この方法は、
・骨移植片材料（例えば、自家骨、同種移植片、異種移植片、または異物形成法（ａｌｌｏｐｌａｓｔ））を標的部位に適用するステップと、
・血液またはその他の液体を標的部位から除去し、上記で定義したアプリケータアセンブリを使用して、骨移植片材料上に接着剤組成物またはシーラント組成物の層を塗布するステップと、
を含み得る。
【００５１】
好ましい実施形態によれば、上記の方法のうちの１つは、
・接着剤組成物またはシーラント組成物の適用層を放射線に曝して、接着剤組成物またはシーラント組成物の重合または硬化を誘導するステップ
をさらに含み得る。
【００５２】
いくつかの実施形態によれば、接着剤組成物またはシーラント組成物は、重合または硬化を促進するために、光開始剤の存在下において紫外線（ＵＶ）光により照射される。
【００５３】
適切な光開始剤の例には、２−ジメトキシ−２−フェニル-アセトフェノン、２−ヒドロキシ−１−［４−（ヒドロキシエトキシ）フェニル］−２−メチル−１−プロパノン（Ｉｒｇａｃｕｒｅ  ２９５９）、１−ヒドロキシシクロヘキシル−１−フェニルケトン（Ｉｒｇａｃｕｒｅ  １８４）、２−ヒドロキシ−２−メチル−１−フェニル−１−プロパノン（Ｄａｒｏｃｕｒ  １１７３）、２−ベンジル−２−（ジメヒルアミノ）−１−［４−モルホリニル）フェニル］−１−ブタノン（Ｉｒｇａｃｕｒｅ  ３６９）、メチルベンゾイルホルメート（Ｄａｒｏｃｕｒ  ＭＢＦ）、オキシ−フェニル−酢酸−２−［２−オキソ−２−フェニル−アセトキシ−エトキシ］−エチルエステル（Ｉｒｇａｃｕｒｅ  ７５４）、２−メチル−１−［４−（メチルチオ）フェニル］−２−（４−モルホリニル）−１−プロパノン（Ｉｒｇａｃｕｒｅ  ９０７）、ジフェニル（２，４，６−トリメチルベンゾイル）−ホスフィンオキシド（Ｄａｒｏｃｕｒ  ＴＰＯ）、ホスフィンオキシド、フェニルビス（２，４，６−トリメチルベンゾイル）（Ｉｒｇａｃｕｒｅ  ８１９）、およびそれらの組み合わせが含まれるが、これらに限定されない。
【００５４】
他の実施形態では、接着剤組成物またはシーラント組成物は、重合または硬化を促進するために、光開始剤の存在下において可視光（典型的には青色光または緑色光）により照射される。
【００５５】
可視光に敏感な光開始剤の例には、ジフェニル（２，４，６−トリメチルベンゾイル）−ホスフィンオキシド、エオシンＹ二ナトリウム塩、Ｎ−ビニル−２−ピロリドン（ＮＶＰ）およびトリエタノールアミン、ならびにカンファーキノンが含まれるが、これらに限定されない。
【００５６】
照射は、患者内の所望の適用部位に光を透過、放出、方向付け、または他の方法で適用するように構成された光源で適用される。
【００５７】
特別な実施形態によれば、光源は、別個の光アプリケータに配置される。
【００５８】
「光源」という用語は、ハロゲン電球、発光ダイオード（ＬＥＤ）、ＬＥＤアレイ、およびそれらの組み合わせを含むがこれらに限定されない任意の光生成装置を指す。
【００５９】
一緒に結合される２つの部分は、
・組織の端、または、
・血管および、好ましくはダクロンまたはｅＰＴＦＥ（ＧｏｒｅＴｅｘ（登録商標））などの合成材料でできている人工血管、または、
・生体材料で作られた血管および人工血管、
・動脈および／または静脈を含む２つの血管部分、
・血管と、パッチやステントなどの人工組織、
を含み得る。
【００６０】
２つの部分は、血管および管状血管補綴を含み得、そして末端吻合または末端外側吻合によって一緒に結合され得る。
【００６１】
他の実施形態によれば、接着剤組成物またはシーラント組成物の層は、縫合なしで、例えば切開（例えば、血管切開）の無縫合閉鎖のために接合部上に適用され得る。
【００６２】
血管切開は、例えば、約０．５〜６ミリメートル、典型的には約４〜５ミリメートルの血管切開を含む。
【００６３】
治療できる他の種類の創傷には、漏れる創傷、閉じるのが難しい創傷、または通常の生理学的メカニズムによって適切に治癒しない創傷が含まれるが、これらに限定されない。
【００６４】
上記の方法は、ヒトまたは獣医の使用のために、体内および体外の両方で実施することができる。これらの方法は、開腹手術、低侵襲手術、または腹腔鏡手術の下で実施することができる。
【００６５】
本発明の実施形態は、図面を参照して説明される。
【図面の簡単な説明】
【００６６】
【図１】本発明の第１の実施形態によるアプリケータを概略的に示す。
【図２】本発明の第１の実施形態によるアプリケータを概略的に示す。
【図３】図１および図２のアプリケータの断面図である。
【図４】本発明の第２の実施形態によるアプリケータを概略的に示す。
【図５】本発明の第２の実施形態によるアプリケータを概略的に示す。
【図６】本発明の第３の実施形態によるアプリケータを概略的に示す。
【図７】本発明の第４の実施形態によるアプリケータを概略的に示す。
【図８】本発明の第５の実施形態によるアプリケータを概略的に示す。
【図９】本発明の第５の実施形態によるアプリケータを概略的に示す。
【図１０】図８および図９のアプリケータの断面図である。
【図１１】アプリケータを取り付けることができる分配装置を概略的に示す。
【図１２】ケーシングを備えた分配装置を概略的に示す。
【図１３】アプリケータおよび分配装置を封入するためのパッケージを概略的に示す。
【図１４】本発明の一実施形態によるアプリケータアセンブリを概略的に示す。
【発明を実施するための形態】
【００６７】
図１〜図３を参照すると、第１の実施形態によれば、アプリケータ１は、１つの単一の材料で作られている。アプリケータ１の材料は、剛性であろうと可撓性であろうと、生体適合性材料であり得る。アプリケータ１の材料は、例えば、射出成形製造技術と互換性のある剛性材料であるポリカーボネートであり得る。
【００６８】
アプリケータ１の材料は、可視光に対して半透明であるため、観察者は、アプリケータ１を通って流れる接着剤組成物またはシーラント組成物を見ることができる。しかしながら、アプリケータ１の材料は、好ましくは、接着剤組成物またはシーラント組成物を活性化する波長の放射線に対して不透明である。
【００６９】
アプリケータ１は、取り付け部分３と、送達部分４と、取り付け部分３を送達部分４に接続する中間部分５とを含む本体２を備えている。
【００７０】
取り付け部分３は、分配装置に接続されることを意図した取り付け面６を有する。
【００７１】
送達部分４は、接着剤組成物またはシーラント組成物が堆積される生物学的組織および／または補綴組織に面して配置されることを意図された塗布面７を有する。塗布面７は実質的に平面である。
【００７２】
中間部分５は曲がっている。
【００７３】
本体２は、取り付け面６に設けられた第１の入口開口部８と、塗布面７に設けられた第１の出口開口部９と、第１の入口開口部８から第１の出口開口部９まで延在する第１の内部チャネル１０とをさらに含む。
【００７４】
第１の入口開口部８は円形である。第１の入口開口部８の直径は、４ミリメートル〜４．５ミリメートルの間、好ましくは４．２７０ミリメートル〜４．３１５ミリメートルの間、例えば４．２９ミリメートルから構成され得る。第１の入口開口部８は、接着剤組成物またはシーラント組成物が分配装置からアプリケータ１に流れることを可能にするように構成されている。
【００７５】
第１の出口開口部９は、接着剤組成物またはシーラント組成物がアプリケータ１から流出し、接着剤組成物またはシーラント組成物の層を形成することを可能にするためのスロットを有する。第１の出口開口部９は、第１の幅ｗ１および第１の高さｈ１を有する。第１の幅ｗ１は、２〜１５ミリメートルの間で構成され、好ましくは５〜８ミリメートルの間で構成され、例えば３．８９ミリメートルに等しい。第１の高さｈ１は、０．２〜１ミリメートルの間、好ましくは０．４〜０．６ミリメートルの間、例えば０．６３ミリメートルから構成される。
【００７６】
第１の内部チャネル１０は、接着剤組成物またはシーラント組成物を第１の入口開口部８から第１の出口開口部９に案内するように構成されている。第１の内部チャネル１０は、第１の入口開口部８から第１の出口開口部９まで連続的に増加する幅ｗを有し、第１の入口開口部８から第１の出口開口部９まで連続的に減少する高さｈを有する断面を有する。
【００７７】
本体２はまた、アプリケータ１を分配装置に取り付けるために、分配装置の取り付け構成要素と協調するように構成された第１の取り付け構成要素１１を含む。第１の取り付け構成要素１１は、取り付け面６から突出し、第１の入口開口部８を取り囲む第１の環状壁１２を含む。環状壁１２は、取り付け主軸Ｘ１に従って、分配装置の取り付け部分の雌の円錐形内面と適合するように構成された雄の円錐形の外面を含む。第１の取り付け構成要素１１はまた、本体２の第１の取り付け構成要素１１を分配装置の取り付け構成要素にロックするために、取り付け主軸Ｘ１に対して直角に突出するラグ１３を含む。
【００７８】
本体２はまた、塗布面７に設けられた第２の入口開口部１４、取り付け面６に設けられた第２の出口開口部１５、および第２の入口開口部１４から第２の出口開口部１５に延在する第２の内部チャネル１６を含む。
【００７９】
第２の入口開口部１４は長方形の形状をしている。第２の入口開口部１４は、汚染物質または望ましくない要素（例えば、流体、材料片または組織片）を標的部位から除去することを可能にするために、塗布面７上の第１の出口開口部９に隣接して配置され、一方、接着剤組成物またはシーラント組成物の層は、第１の出口開口部９を通して堆積される。第２の入口開口部１４は、第２の幅ｗ２および第２の高さｈ２を有する。第２の幅ｗ２は、第１の幅ｗ１以上である。第２の幅ｗ２は、２〜１５ミリメートルの間で構成され、好ましくは５〜８ミリメートルの間で構成され、例えば４ミリメートルに等しい。第２の高さｈ２は、０．２〜５ミリメートルの間、好ましくは０．３〜２ミリメートルの間、例えば１．５５ミリメートルからなる。
【００８０】
第２の出口開口部１５は円形である。第２の出口開口部１５は、１．６ミリメートル〜１０ミリメートルの間、例えば２ミリメートルで構成される直径を有する。第２の出口開口部１５は、標的部位から除去された汚染物質または望ましくない要素（例えば、流体、材料片、または組織片）が外部吸引装置に向かって排出されることを可能にするように構成されている。
【００８１】
第２の内部チャネル１６は、第１の内部チャネル１０と平行に、本体内に延在している。
【００８２】
本体２はまた、第２の内部チャネル１６を外部吸引装置に接続するために、吸引管の端部をアプリケータ１に取り付けるように構成された第２の取り付け構成要素１７を含む。第２の取り付け構成要素１７は、取り付け面６から突出し、第２の出口開口部１５を取り囲む第２の環状壁１８を含む。第２の取り付け構成要素１７はまた、第２の環状壁１８の周りに延在する円錐形の膨らみ１９を含む。円錐形の膨らみ１９は、吸引管をアプリケータ１に取り付けるために、吸引管の端部開口部に挿入されるように構成されている。
【００８３】
本体２は、第１の内部チャネル１０を第２の内部チャネル１６から分離する壁２０を含む。壁２０は、取り付け面６から塗布面７に向かって減少する厚さを有する。壁２０は、第１の出口開口部９と第２の入口開口部１４との間（塗布面７の平面内）で測定され、２５マイクロメートル〜１センチメートル、例えば０．４６ミリメートルで構成される厚さを有する。
【００８４】
塗布面７は、取り付け主軸と角度αを形成し、この角度は、９０〜３０度、好ましくは９０〜６０度、より好ましくは７５〜８５度、例えば６３．７２度で構成される。
【００８５】
図３から分かるように、第１のチャネル１０は、入口部２１、出口部２２、および入口部２１を出口部２２に接続する中間部２３を有する。入口部２１は、本体２の取り付け部分３内に侵入している。入口部２１は、第１の入口開口部８から中間部２３まで延在している。出口部２２は、本体２の送達部分４内に侵入する。出口部２２は、中間部２３から第１の出口開口部９まで延在している。中間部２３は、本体２の中間部分５内に延在している。中間部２３は湾曲しており、一方、出口部２２は実質的に真っ直ぐである。
【００８６】
図４および図５は、本発明の第２の実施形態によるアプリケータ１を概略的に示す。
【００８７】
この第２の実施形態では、アプリケータ１は、アプリケータ１の送達部分４が、中間部分５から塗布面７に向かって連続的に増加する幅Ｗを有することを除いて、第１の実施形態のアプリケータと同様である。
【００８８】
この第２の実施形態では、第１の出口開口部９は、９．２９ミリメートルに等しい第１の幅ｗ１と、０．５２ミリメートルに等しい第１の高さｈ１とを有する。
【００８９】
第２の入口開口部１４は、第２の幅ｗ２および第２の高さｈ２を有する。第２の幅ｗ２は、第１の幅ｗ１よりも大きくなっている。第２の幅ｗ２は８．８７ミリメートルに等しく、第２の高さｈ２は１．５４ミリメートルに等しい。
【００９０】
この第２の実施形態は、第１の実施形態で堆積された接着剤組成物またはシーラント組成物の層よりも広い幅を有する接着剤組成物またはシーラント組成物の層を堆積することを可能にする。この第２の実施形態は、大動脈、大腿動脈、頸動脈または冠状動脈などの大きな血管上に接着剤組成物またはシーラント組成物の層を堆積させるように構成され得る。
【００９１】
図６は、本発明の第３の実施形態によるアプリケータ１を概略的に示す。
【００９２】
この第３の実施形態では、アプリケータの送達部分は、取り付け部分から塗布面に向かって連続的に減少する幅を有する。
【００９３】
この第３の実施形態では、第１の出口開口部は、２．３８ミリメートルに等しい第１の幅および０．４０ミリメートルに等しい第１の高さを有する。
【００９４】
さらに、アプリケータ１は、塗布面７上の第１の出口開口９に隣接して並んで配置された２つの第２の入口開口１４を備える。これにより、所定のサイズの材料を濾過することが可能になり、生体材料または細胞（例えば、骨粉末または細胞）などの材料の望ましくない除去を防ぐことができる。
【００９５】
この第３の実施形態では、本体２は、曲げられた中間部分５を有する。中間部分５は、スロット９の主平面内に延在する曲率半径を有する。
【００９６】
図７は、本発明の第４の実施形態によるアプリケータ１を概略的に示す。
【００９７】
この第４の実施形態では、アプリケータ１は、塗布面７上の第１の出口開口９に隣接して並んで配置された３つの第２の入口開口１４を有する。
【００９８】
図８〜図１０を参照すると、第５の実施形態によれば、アプリケータ１は、第１の取り付け部分３、第２の取り付け部分２４、および送達部分４を備える本体２を備える。
【００９９】
送達部分４は、接着剤組成物またはシーラント組成物が堆積される生物学的組織および／または補綴組織に面して配置されることを意図された塗布面７を有する。適用面７は実質的に平面である。
【０１００】
本体２は、第１の取り付け部分３に設けられた第１の入口開口部８、送達部分４に設けられた第１の出口開口部９、および第１の入口開口部８から第１の出口開口部９まで延在する第１の内部チャネル１０を含む。
【０１０１】
第１の出口開口部９は、塗布面７に設けられている。
【０１０２】
第１の入口開口部８は円形である。第１の入口開口部８の直径は、４ミリメートル〜４．５ミリメートルの間、好ましくは４．２７０ミリメートル〜４．３１５ミリメートルの間、例えば４．２８ミリメートルからなる。第１の入口開口部８は、接着剤組成物またはシーラント組成物が分配装置からアプリケータ１に流れることを可能にするように構成されている。
【０１０３】
第１の出口開口部９は、接着剤組成物またはシーラント組成物がアプリケータから流出し、接着剤組成物またはシーラント組成物の層を形成することを可能にするためのスロットを有した形状になっている。第１の出口開口部は、第１の幅ｗ１および第１の高さｈ１を有する。第１の幅ｗ１は、２〜１５ミリメートルの間で構成され、好ましくは、６〜８ミリメートルの間で構成され、例えば、４ミリメートルに等しい。第１の高さｈ１は、０．２〜１ミリメートルの間、好ましくは０．４〜０．６ミリメートルの間、例えば０．５ミリメートルからなる。
【０１０４】
第１の内部チャネル１０は、接着剤組成物またはシーラント組成物を第１の入口開口部８から第１の出口開口部９に案内するように構成されている。第１の内部チャネル１０は、第１の入口開口部８から第１の出口開口部９まで連続的に増加する幅ｗを有し、第１の入口開口部８から第１の出口開口部９まで連続的に減少する高さｈを有する断面を有する。
【０１０５】
第１の取り付け部分３は、アプリケータ１を分配装置に取り付けるために、分配装置の取り付け部分と協働するように構成されている。第１の取り付け部分３は、第１の入口開口部８を取り囲む第１の環状壁１２を含む。環状壁１２は、取り付け主軸Ｘ１に従って、分配装置の取り付け部分の雌の円錐形内面と適合するように構成された雄の円錐形の外面を含む。第１の取り付け部分３はまた、本体２の第１の取り付け部分１２を分配装置の取り付け部分にロックするために、取り付け主軸Ｘ１に対して半径方向に突出するラグ１３を含む。
【０１０６】
本体２はまた、送達部分４に設けられた第２の入口開口１４と、第２の取り付け部分２４に設けられた第２の出口開口１５と、第２の入口開口１４から第２の出口開口１５に延在する第２の内部チャネル１６とを含む。
【０１０７】
第２の入口開口部１４は、塗布面７に設けられている。
【０１０８】
第２の入口開口部１４は、実質的に長方形の形状を有している。第２の入口開口部１４は、第２の入口開口部１４を介して汚染物質または望ましくない要素（例えば、流体、材料片または組織片）を標的部位から除去する一方で、接着剤組成物またはシーラント組成物の層が第１の出口開口部９を通して堆積されることを可能にするために、塗布面７の第１の出口開口部９に隣接して配置されている。第２の入口開口部１４は、第２の幅ｗ２および第２の高さｈ２を有する。第２の幅ｗ２は、第１の幅ｗ１以上である。第２の幅ｗ２は、２〜１５ミリメートルの間で構成され、好ましくは５〜８ミリメートルの間で構成され、例えば、３．７２ミリメートルに等しい。第２の高さｈ２は、０．２〜５ミリメートル、好ましくは０．３〜０．５ミリメートル、例えば２．３２ミリメートルで構成される。
【０１０９】
第２の出口開口部１５は円形である。第２の出口開口部１５は、４〜８ミリメートル、例えば、５．０５ミリメートルの間で構成される直径を有する。第２の出口開口部１５は、標的部位から除去された汚染物質または望ましくない要素（例えば、流体、材料片、または組織片）が外部吸引装置に向かって排出されることを可能にするように構成されている。
【０１１０】
第２の取り付け部分２４は、第２の内部チャネル１６を外部吸引装置に接続するために、吸引管の端部をアプリケータ１に取り付けるように構成されている。第２の取り付け部分２４は、第２の出口開口部１５を取り囲む第２の環状壁１８を含む。第２の取り付け部分２４はまた、第２の環状壁１８の周りに延在する円錐形の膨らみ１９を含む。円錐形の膨らみ１９は、吸引管をアプリケータ１に取り付けるために、吸引管の端部開口部に挿入されるように構成されている。
【０１１１】
本体２はまた、第１の内部チャネル１０および第２の内部チャネル１６を分離する壁２０を含む。壁２０は、取り付け部分３、２４から塗布面７に向かって減少する厚さを有している。壁２０は、第１の出口開口部９と第２の入口開口部１４との間（塗布面７の平面内）で測定され、２５マイクロメートル〜１センチメートルの間、例えば１ミリメートルで構成された厚さを有している。
【０１１２】
塗布面７は、取り付け主軸Ｘ１と角度αを形成し、この角度は、９０度〜６０度、好ましくは７５度から８５度、例えば７０度で構成される。
【０１１３】
この第５の実施形態では、第１のチャネル１０は実質的に真っ直ぐであり、第１の主軸Ｘ１に沿って延びている。第２のチャネル１６は実質的に真っ直ぐであり、第２の主軸Ｘ２に沿って延びている。第２の主軸Ｘ２は、第１の主軸Ｘ１に対して１０〜２０度、例えば１８．７２度の間に含まれる角度βで配向されている。
【０１１４】
図１１は、アプリケータ１を取り付けることができる分配装置２５を概略的に示している。
【０１１５】
分配装置２５は、シリンジ２６を含む。シリンジ２６は、シリンダ２７と、シリンダ２７の長手方向軸に従ってシリンダ２７内を滑ることができるようにシリンダ２７内に配置されたピストン２８とを含む。
【０１１６】
シリンジ２６はまた、接着剤組成物またはシーラント組成物が分配装置２５から流出することを可能にするための端部開口部３０を有するカニューレ２９を含む。
【０１１７】
シリンジ２６は、端部開口部３０を取り囲む取り付け部分３１を含む。シリンジ２６の取り付け部分３１は、アプリケータ１を分配装置２５に取り付けるために、アプリケータ１の第１の取り付け部分３と協働するように構成されている。より正確には、分配装置２５の取り付け部分３１は、雌の円錐形内面を有している。アプリケータ１の第１の取り付け部分３の雄の円錐形外面は、分配装置２５の取り付け部分３１の雌の円錐形内面と適合するように構成されている。
【０１１８】
シリンダ２７およびピストン２８は一緒になって、接着剤組成物またはシーラント組成物で満たされ得るリザーバ３２を画定する。
【０１１９】
シリンダ２７は、好ましくは、接着剤組成物またはシーラント組成物と反応しないか、またはその中で拡散しない材料でできている。シリンダの材料は、ガラス、または環状オレフィンコポリマー（ＣＯＣ）もしくは環状オレフィンポリマー（ＣＯＰ）などのポリマーであり得る。シリンダの材料は、所定の波長の光がリザーバ内に含まれる接着剤組成物またはシーラント組成物を照射するのを防ぎ、接着剤組成物またはシーラント組成物の架橋を開始するように光をフィルタリングすることができる着色剤などの物質を含み得る。
【０１２０】
接着剤組成物またはシーラント組成物は、好ましくは、国際公開第２０１４／１９０３０２号、国際公開第２０１６／２０２９８４号または国際公開第２０１６／２０２９８５に開示されるようなプレポリマーを含む組成物である。
【０１２１】
接着剤組成物またはシーラント組成物は、化学式ＡＢを有する疎水性粘性プレポリマーを含み得、Ａは、架橋前に１つまたはアクリレート基を含み得る置換または非置換のポリオール部分に由来し、Ｂは、架橋前にアクリレート基を含み得る置換または非置換の二酸に由来する。接着剤組成物またはシーラント組成物は、プレポリマーが、水および／または血液などの体液によって洗い流されることなく、投与部位の所定の位置に留まることを可能にする粘度を有する。好ましい実施形態によれば、接着剤組成物またはシーラント組成物の粘度は、ブルックフィールド粘度計システムを使用して、摂氏３７度で２０００〜１５０００センチポアズの間で構成される。
【０１２２】
接着剤組成物またはシーラント組成物はまた、接着剤組成物またはシーラント組成物が所定の波長の放射線に曝されたときにプレポリマーの架橋を開始することができる光開始剤を含み得る。好ましくは、接着剤組成物またはシーラント組成物は、プレポリマーおよび光開始剤を含み、前記光開始剤は、特定の波長で露光されたときに前記プレポリマーの重合を誘導することができる。特別な実施形態によれば、前記光開始剤は、紫外線（ＵＶ）光に敏感である。特別な実施形態によれば、ＵＶ光に敏感な適切な光開始剤の例には、２−ジメトキシ−２−フェニル-アセトフェノン、２−ヒドロキシ−１−［４−（ヒドロキシエトキシ）フェニル］−２−メチル−１−プロパノン（Ｉｒｇａｃｕｒｅ  ２９５９）、１−ヒドロキシシクロヘキシル−１−フェニルケトン（Ｉｒｇａｃｕｒｅ  １８４）、２−ヒドロキシ−２−メチル−１−フェニル−１−プロパノン（Ｄａｒｏｃｕｒ  １１７３）、２−ベンジル−２−（ジメヒルアミノ）−１−［４−モルホリニル）フェニル］−１−ブタノン（Ｉｒｇａｃｕｒｅ  ３６９）、メチルベンゾイルホルメート（Ｄａｒｏｃｕｒ  ＭＢＦ）、オキシ−フェニル−酢酸−２−［２−オキソ−２−フェニル−アセトキシ−エトキシ］−エチルエステル（Ｉｒｇａｃｕｒｅ  ７５４）、２−メチル−１−［４−（メチルチオ）フェニル］−２−（４−モルホリニル）−１−プロパノン（Ｉｒｇａｃｕｒｅ  ９０７）、ジフェニル（２，４，６−トリメチルベンゾイル）−ホスフィンオキシド（Ｄａｒｏｃｕｒ  ＴＰＯ）、ホスフィンオキシド、フェニルビス（２，４，６−トリメチルベンゾイル）（Ｉｒｇａｃｕｒｅ  ８１９）、およびそれらの組み合わせが含まれるが、これらに限定されない。別の実施形態によれば、前記光開始剤は、可視光（通常、青色光または緑色光）に敏感である。可視光に敏感な光開始剤の例には、ジフェニル（２，４，６−トリメチルベンゾイル）−ホスフィンオキシド、エオシンＹ二ナトリウム塩、Ｎ−ビニル−２−ピロリドン（ＮＶＰ）およびトリエタノールアミン、ならびにカンファーキノンが含まれるが、これらに限定されない。
【０１２３】
図１２は、ケーシング３３を備えた分配装置２５を概略的に示している。
【０１２４】
ケーシング３３は、リザーバ３２内に含まれる接着剤組成物またはシーラント組成物に光が照射されるのを防ぐように、シリンダ２７の周りに配置されている。
【０１２５】
ケーシング３３は、シリンダ２７を取り囲む管状壁３４と、管状壁３４から延在する弾性タブ３５とを備えている。弾性タブ３５は、ケーシング３３内にシリンダ２７を挿入すると変形し、シリンダ２７がケーシング３３に挿入されるとシリンジ２６の肩部３６に接して、ケーシング３３をシリンダ２７上にロックするように構成されている。
【０１２６】
図１３は、アプリケータ１を封入するパッケージ３７と、アプリケータ１に接続された吸引管３８とを概略的に示す。
【０１２７】
パッケージ３７はまた、分配装置３５および任意選択でケーシング３３を封入し得る。
【０１２８】
パッケージ３７は、２枚のシート３９および４０を含み、これらは、アプリケータ１および吸引管３８を含むポケットを画定するように、それらの縁に沿って一緒に熱融着される。各シート３８、４０は、細菌の侵入を防止する材料でできている。第１のシート３９（または裏打ち）は、パッケージ３７に含まれる成分の滅菌を可能にするため、酸化エチル（ＥＴＯ）などのガス透過性の材料でできていてもよく、または織られたまたは織られていない合成繊維、例えばタイベック（登録商標）（Ｅ．Ｉ．ｄｕ  Ｐｏｎｔ  ｄｅ  Ｎｅｍｏｕｒｓ  ａｎｄ  Ｃｏｍｐａｎｙ提供）などのポリエチレン繊維のシートであってもよい。第２のシート４０は、ポリエチレン、ポリプロピレン、またはそれらの混合物など、ガスを透過せず、透明である材料でできていてもよい。
【０１２９】
吸引管３８は、例えばポリウレタン（ＰＵ）など、陥没に耐えることができ、生体適合性のある材料でできている。
【０１３０】
図１３に見られるように、吸引管３８は、第１の端部４１および第２の端部４２を有する。アプリケータ１は、吸引管３８の第１の端部４１に取り付けられている。
【０１３１】
パッケージ３７はまた、吸引管３８を吸引装置に接続するために、吸引管３８の第２の端部４２に取り付けられた目盛り付き（または階段状）コネクタ４３を含む。吸引装置は、パイプラインシステムを介して中央の医療用真空供給装置に接続することができる。
【０１３２】
図１４は、本発明の一実施形態によるアプリケータアセンブリ４４を概略的に示す。
【０１３３】
アプリケータアセンブリ４４は、分配装置２５、分配装置２５の周りに配置されたケーシング３３、アプリケータ１、および吸引管３８を備えている。
【０１３４】
アプリケータ１は、分配装置２５に接続されている。
【０１３５】
より正確には、アプリケータ１を分配装置２５に取り付けるために、アプリケータ１の第１の取り付け部分３は、分配装置２５の取り付け部分３１に接続される。そのような接続は、アタッチメントの主軸Ｘ１に従って、分配装置のアタッチメント部分３１に対してアプリケータ１の第１のアタッチメント部分３を平行移動させ、次に回転させることによって行われる。
【０１３６】
アプリケータ１はまた、吸引管３８に接続されている。
【０１３７】
より正確には、アプリケータ１の第２の取り付け部分２４は、吸引管３８の第１の端部４１に接続されている。
【０１３８】
使用中、吸引管３８の第２の端部４２は、段付きコネクタ４３を介して吸引装置に接続されている。
【０１３９】
アプリケータアセンブリ４４を使用して、接着剤またはシーラントの層を堆積させて、２つの部分の間の接合部などの組織領域を覆うことができる。第１の部分は、例えば、血管を含み得、第２の部分は、血管補綴を含み得る。
【０１４０】
血管補綴は、管状血管補綴であり得る。管状血管補綴は、ダクロンやｅＰＴＦＥ（例えばＧｏｒｅＴｅｘ（登録商標））などの合成材料、または生体材料でできている。
【０１４１】
血管と管状血管補綴は、例えば縫製またはステープル留めによって、末端吻合によって以前に一緒に結合されていた可能性があり、または単に端から端まで維持されている可能性がある。
【０１４２】
アプリケータアセンブリ４４は、第１の出口開口部９が血管または補綴に面するように配置され、２つの部分の間の接合部に対して横方向に延在している。
【０１４３】
次に、アプリケータ１が接合線に沿って同時に変位する間、ピストン２８がシリンダ２７内で漸進的にスライドするようにされる。
【０１４４】
接着剤組成物またはシーラント組成物は、アプリケータ１の第１の内部チャネル１０に流れ込む。同時に、汚染物質または望ましくない要素は、第２の入口開口部１４を介して標的部位から除去される。
【０１４５】
組織の表面と接着剤組成物またはシーラント組成物との間にくぼみが作られると、組織の表面に不規則性があるにもかかわらず、組織と接着剤組成物またはシーラント組成物の層との間に密接な接触が得られる。
【０１４６】
アプリケータ１の材料は可視光に対して半透明であるため、オペレータは、接着剤組成物またはシーラント組成物が第１の内部チャネル１０内を流れるのを見て、接着剤組成物またはシーラント組成物が第１の出口開口部９に到達する瞬間を検出することができる。
【０１４７】
接着剤組成物またはシーラント組成物は、第１の出口開口部９を通ってアプリケータ１から流出する。これにより、薄いストリップの形状を有する接着剤またはシーラントの層を堆積させることができる。
【０１４８】
堆積されると、接着剤またはシーラント層は、プレポリマーの架橋を誘発するように放射線に曝される。
【０１４９】
硬化した接着剤またはシーラント層のポリマーは、下にある組織と物理的に絡み合っている。したがって、接着剤またはシーラント層は、止血シールを提供し、例えば、血管と補綴との間の接合部を補強する。
【０１５０】
末端外側吻合によって一緒に結合された血管および管状血管補綴に同じ方法を適用することができる可能性がある。
【０１５１】
標的部位からの汚染物質または望ましくない要素（例えば、流体、材料片または組織片）の除去により、接着剤組成物またはシーラント組成物の層の堆積が容易になる。結果として、複雑な接合の場合でさえも接着剤組成物またはシーラント組成物の堆積が成功裏に得られ得る。
【０１５２】
管状補綴の代わりにパッチの形状を有する血管補綴にも同じ方法を適用することができる可能性がある。
【０１５３】
例１：血管手術
本発明によるアプリケータアセンブリは、ブタモデルで実施される血管再建手順で使用された。クランプ後、左頸動脈に２〜３センチメートルの線形切開を行った。ｅＰＴＦＥ（Ｇｏｒｅ−ＴＥＸ（登録商標）血管グラフト、標準壁、直径８ｍｍ）を切開部に縫合した。動脈のクランプが解除され、縫合穴からの血液漏れが観察された。その後、容器は再びクランプされた。図８〜図１０に従って、ＰＧＳＡ（Ｐｏｌｙ（Ｇｌｙｃｅｒｏｌ）Ｓｅｂａｃａｔｅ  Ａｃｒｙｌａｔｅ−米国特許第８１４３０４２号明細書）を含む１ミリリットルのシリンジを含む分配装置がアプリケータに接続されている。吸引管は、真空ラインに接続された外部吸引装置に接続された（真空ラインは約−０，８バールの減圧を生成することができる）。次に、アプリケータを使用して、縫合線上にＰＧＳＡを適用した。アプリケータは標的部位の血液を効率的に除去し、ＰＧＳＡと下層組織との接触を強化する。すべての縫合線を覆った後、ＰＧＳＡは、Ｇｅｃｋｏ独自の光活性化ペン（Ｓｅｔａｌｕｍ（商標））を使用して３０秒間、平方センチメートル（ｓ／ｃｍ２）の放射線を照射することによって重合された。血管がクランプ解除されると、即座に止血が得られた。
【０１５４】
例２：尿路手術
ミニブタモデルで３０ｃｍの腹部切開を行った。膀胱と尿道が露出した。膀胱と尿道を分離するために横切開を行う前に膀胱を空にし、根治的直腸切除シナリオをシミュレートした。フォーリーカテーテル（ＢＢｒａｕｎが提供）を尿道に通し、膀胱に留置した。臓器を接続するために４本の縫合糸を適用し、吻合部からの血液および少量の尿漏れが観察された。ＰＧＳＡＡ（ポリ（グリセロール）セバシン酸アクリレート無水物−国際公開第２０１６２０２９８５号）を含む１ミリリットル（ｍＬ）のシリンジを含む分配装置が、本発明によるアプリケータに接続されている。次に、真空ラインに接続された外部吸引装置にアプリケータを接続した（真空ラインは約−０．８バールの減圧を生成することができる）。ＰＧＳＡＡは吻合領域に適用されている。ＰＧＳＡＡの重合は、Ｇｅｃｋｏ独自の光活性化ペン（Ｓｅｔａｌｕｍ（商標））を使用して１平方センチメートル（ｓ／ｃｍ２）あたり３０秒間放射線を照射することによって実行された。重合後、接着剤組成物が標的組織および縫合糸に付着しているのを明らかに見ることができた。膀胱を尿道から引き離すと、ＰＧＳＡＡが両方の組織の分離を制限していることがはっきりとわかる。ＰＧＳＡＡの適用後、吻合領域の内側からの漏れは観察されなかった。
【０１５５】
次に、接着剤を除去し、接着剤プレポリマーの２回目の塗布を、同じ条件に従って、しかし真空なしで再度実施した。
【０１５６】
この実験は、真空の使用が、
ａ）ＰＧＳＡＡを適用する前に標的組織から液体を除去することにより、アプリケータアセンブリの使いやすさを大幅に改善し、これにより、シーラント／接着剤組成物の堆積が促進されること、
ｂ）標的表面とシーラント／接着剤との接触を大幅に強化し、接着性を向上させること、
を示している。
【０１５７】
例３：骨
この試験は、ウシ大腿骨の横断面を使用して生体外で実施された。骨の骨膜を取り除き、試験を容易にするために１．５ｃｍ×２．５ｃｍの長方形を切り取った。骨の長方形は、リン酸緩衝生理食塩水に潜ることによって水和された。次に、ＰＧＳＡ（ポリ（グリセロール）セバケートアクリレート）を含む１ミリリットル（ｍＬ）のシリンジを含む分配装置が、本発明によるアプリケータに接続された。次に、アプリケータを真空ラインに接続された外部吸引装置に接続した（真空ラインは約−１．０〜−０．７バールの減圧を生成することができる）。まず、ＰＧＳＡを骨の１ｃｍ×１ｃｍの領域に真空を当てて適用し、Ｇｅｃｋｏ独自の光活性化ペン（Ｓｅｔａｌｕｍ（商標））を使用して３０秒間重合させた。これを３回実行した。次に、真空をオンにして同じ手順を実行した。次に、機械的試験機（インストロンが提供）を使用して、接着力の測定を行った。ＰＧＳＡの骨への接着レベルは４０倍以上増加した。
【０１５８】
例４：ＰＧＳＡの適用−水中動脈
本研究では、本発明によるアプリケータアセンブリが使用された。図８〜図１０に従って、ＰＧＳＡ（ポリ（グリセロール）セバシン酸アクリレート−米国特許第８，１４３，０４２号明細書）を含む１ミリリットルのシリンジを含む分配装置がアプリケータに接続されている。吸引管は、真空ラインに接続された外部吸引装置に接続された（真空ラインは約−０，８バールの減圧を生成することができる）。次に、完全に水に沈めたブタの頸動脈にＰＧＳＡを適用した。吸引がオンのとき、ユーザは頸動脈にＰＧＳＡを簡単に適用した。吸引は、送達されたＰＧＳＡと他の標的血管との間の接触を安定させるのに役立ち、接着を強化した。ポリマー塗布の終わりに、容器がまだ水没していることに注意すべきである。吸引をオフにして同じ装置を使用すると、ＰＧＳＡの堆積はより困難になり、ＰＧＳＡは血管表面に止まらない傾向があった。
【０１５９】
例５：ＰＧＳＡバースト性能に対する吸引の影響
本研究では、本発明によるアプリケータアセンブリが使用された。図８〜図１０に従って、ＰＧＳＡ（ポリ（グリセロール）セバシン酸アクリレート−米国特許第８，１４３，０４２号明細書）を含む１ミリリットルのシリンジを含む分配装置がアプリケータに接続されている。吸引管は、真空ラインに接続された外部吸引装置に接続された（真空ラインは約−０，８バールの減圧を生成することができる）。
【０１６０】
ブタの頸動脈を、ＰＢＳ（リン酸緩衝生理食塩水）で満たされたシリンジを含むシリンジポンプに接続した。頸動脈のもう一方の端には、頸動脈内の液圧を測定するために圧力プローブを接続した。システムにＰＢＳを充填した後、システムに漏れがないことを確認した。すべての実験は、動脈を濡らして実施された。
【０１６１】
頸動脈に縦方向の２〜３ｍｍの切開を作成し、ＰＢＳが環境圧力を漏らせるようにした。
【０１６２】
まず、頸動脈切開部を吸引してＰＧＳＡを適用した。最大破裂圧力が評価された。ポリマーの第１の層を除去した後、吸引をオンにしてポリマーを再適用した。これを３回繰り返した。
【０１６３】
結果は、吸引を使用した場合、ＰＧＳＡバースト圧力が平均４０％増加することを示している。さらに、測定値の標準偏差は約３９％減少したが、吸引はＰＧＳＡバースト性能を改善および標準化する。
【図１】
2021522042.tif 000005
【図２】
2021522042.tif 000006
【図３】
2021522042.tif 000007
【図４】
2021522042.tif 000008
【図５】
2021522042.tif 000009
【図６】
2021522042.tif 000010
【図７】
2021522042.tif 000011
【図８】
2021522042.tif 000012
【図９】
2021522042.tif 000013
【図１０】
2021522042.tif 000014
【図１１】
2021522042.tif 000015
【図１２】
2021522042.tif 000016
【図１３】
2021522042.tif 000017
【図１４】
2021522042.tif 000018
【国際調査報告】
2021522042.tif 000019
2021522042.tif 000020
2021522042.tif 000021
2021522042.tif 000022
2021522042.tif 000023